(57)【要約】【課題】流体の昇圧特性を確保することができる多段ギヤポンプを提供する。【解決手段】ポンプ１はギヤ２６，３２からなる１段目ギヤ列３６、ギヤ２７，３３からなる２段目ギヤ列３７、ギヤ２８，３４からなる３段目ギヤ列３８を備えている。ポンプ１はこれらギヤ列３６〜３８にＤＭＥを順に通すことで昇圧し、昇圧後のＤＭＥを吐出ポートから吐出する。２段目ギヤ列３７の吐出容量は１段目ギヤ列３６の吐出容量よりも低い値に設定されている。３段目ギヤ列３８の吐出容量は２段目ギヤ列３７の吐出容量よりも低い値に設定されている。【選択図】      図１
2004278502.tif 000002
【特許請求の範囲】
【請求項１】
互いに噛合う一対のギヤからなり、前記ギヤのうち一方が駆動軸に連結されているとともに他方が駆動軸側のギヤと連れ回りするギヤ列を複数備え、吸入した流体を順に前記ギヤ列に通すことで昇圧して吐出する多段ギヤポンプにおいて、
高圧段のギヤ列の吐出容量は、低圧段のギヤ列の吐出容量よりも低い値に設定されている多段ギヤポンプ。
【請求項２】
前記高圧段のギヤ列の吐出容量は、該ギヤ列の歯幅が前記低圧段のギヤ列の歯幅よりも小さく設定されることで、前記低圧段のギヤ列の吐出容量よりも低い値に設定されている請求項１に記載の多段ギヤポンプ。
【請求項３】
前記高圧段のギヤ列の吐出容量は、前記流体の漏れ量を加味して、前記低圧段のギヤ列から実際に吐出される実容量と同じ値に設定されている請求項１又は２に記載の多段ギヤポンプ。
【請求項４】
前記高圧段のギヤ列と前記低圧段のギヤ列を繋ぐ流路には、前記流体の流体圧が所定圧を超えたときに開弁状態となって、前記高圧段のギヤ列を迂回して前記流路内の前記流体を吐出させる弁手段が設けられている請求項１〜３のうちいずれか一項に記載の多段ギヤポンプ。
【請求項５】
前記ギヤのうち連れ回りするギヤは従動軸に取り付けられ、この従動軸に取り付けられた複数のギヤのうち、１つのギヤは前記従動軸に一体形成され、残りのギヤは前記従動軸に相対回転可能に取り付けられている請求項１〜４のうちいずれか一項に記載の多段ギヤポンプ。
【請求項６】
前記高圧段のギヤ列の歯幅は前記低圧段のギヤ列の歯幅よりも小さく設定されており、最も高圧のギヤ列を構成するギヤが前記従動軸に一体形成されている請求項５に記載の多段ギヤポンプ。
【請求項７】
前記流体はジメチルエーテルである請求項１〜６のうちいずれか一項に記載の多段ギヤポンプ。
【発明の詳細な説明】
【０００１】
【発明の属する技術分野】
本発明は、吸入した流体を複数段のギヤ列で昇圧して吐出する多段ギヤポンプに関するものである。
【０００２】
【従来の技術】
従来、液体を複数段のギヤ列で昇圧する多段ギヤポンプが存在する（例えば、特許文献１参照。）。図７は、特許文献１で開示された多段ギヤポンプ８１（以下、単にポンプと記す）の縦断面図である。ポンプ８１は一対のギヤ８２，８３からなるロータリーギヤ８４と、該ロータリーギヤ８４と軸方向に並んで配置された一対のギヤ８５，８６からなるロータリーギヤ８７を備えている。ギヤ８２，８５は駆動軸８８に支持され、ギヤ８３，８６は従動軸８９に支持されている。
【０００３】
ポンプ８１は、駆動軸８８が回転するとギヤ８２，８５が回るとともにギヤ８３，８６が連れ回りする。このとき、ポンプ８１は液体を吸入し、吸入された液体は１段目のロータリーギヤ８４に流れて昇圧される。１段目のロータリーギヤ８４で昇圧された液体は、該ロータリーギヤ８４とロータリーギヤ８７とを繋ぐ流路９０を通って２段目のロータリーギヤ８７に流れ、ロータリーギヤ８７でも昇圧されて所定の高圧状態で吐出される。
【０００４】
【特許文献１】
特開２００１−１４０７７０号公報（第２−３頁、図１）
【０００５】
【発明が解決しようとする課題】
ここで、例えば液体としてジメチルエーテル（ＤＭＥ）を用いた場合を考える。ＤＭＥには低粘度で漏れ易い性質があるので、ポンプ作動時においてＤＭＥがロータリーギヤ８４，８７のギヤ部分から漏れ出てしまう。このため、１段目のロータリーギヤ８４から２段目のロータリーギヤ８７に圧送されるＤＭＥの量、つまり１段目のロータリーギヤ８４から実際に吐出される実容量は、前述した漏れによって該ロータリーギヤ８４の吐出容量（理論値）よりも減少する。
【０００６】
従って、特許文献１のようにロータリーギヤ８４とロータリーギヤ８７の歯幅ｈが同じであると、言い換えればロータリーギヤ８４とロータリーギヤ８７の吐出容量が同じであると、１段目のロータリーギヤ８４の実容量が２段目のロータリーギヤ８７の吐出容量に対して不足する。すると、蒸気圧が高い（揮発性が高い）という性質をＤＭＥは有するため、ＤＭＥの圧力が蒸気圧を下回ってＤＭＥが気化することになり、ＤＭＥを所定圧まで昇圧できない問題が生じていた。
【０００７】
本発明は前記の問題点に鑑みてなされたものであって、その目的は、流体の昇圧特性を確保することができる多段ギヤポンプを提供することにある。
【０００８】
【課題を解決するための手段】
上記目的を達成するために、請求項１に記載の発明の多段ギヤポンプは、高圧段のギヤ列の吐出容量が、低圧段のギヤ列の吐出容量よりも低い値に設定されている。この発明によれば、低圧段のギヤ列での流体の昇圧時に該ギヤ列から流体が漏れ出て、低圧段のギヤ列から実際に吐出される流体の実容量は吸入時に比べて減少する。しかし、高圧段のギヤ列の吐出容量は低圧段のギヤ列の吐出容量よりも低い値に設定されているので、高圧段のギヤ列の吐出容量に対し、低圧段のギヤ列から吐出される実容量が不足することを抑制できる。よって、高圧段のギヤ列で流体（液体）が気化し難くなることによって、流体の昇圧特性が確保される。
【０００９】
なお、定義として「吐出容量」とは、ギヤ列を構成するギヤが一回転したときに、流体漏れを加味しないで吐出される理論上の流体容量（吐出能力）のことである。
【００１０】
請求項２に記載の発明では、請求項１に記載の発明において、前記高圧段のギヤ列の吐出容量は、該ギヤ列の歯幅が前記低圧段のギヤ列の歯幅よりも小さく設定されることで、前記低圧段のギヤ列の吐出容量よりも低い値に設定されている。つまり、低圧段のギヤ列と高圧段のギヤ列は、端面における少なくとも歯付近の形状寸法が同じギヤによって構成されている。よって、例えば、高圧段のギヤ列と低圧段のギヤ列とで、ギヤの歯溝の深さを変更して吐出容量を異ならせる場合に比べて、各ギヤ列のギヤの歯において歯幅以外の形状寸法を同じとすることができ、各ギヤ間の共通部分が多くて、それらの製作が簡単となる。
【００１１】
請求項３に記載の発明では、請求項１又は２に記載の発明において、前記高圧段のギヤ列の吐出容量は、前記流体の漏れ量を加味して前記低圧段のギヤ列から実際に吐出される実容量と同じ値に設定されている。従って、低圧段のギヤ列から過剰な量の流体が高圧段のギヤ列に送られることがなく、高圧段のギヤ列における流体の漏れ量が多くならずに済む。よって、流体の昇圧特性の確保と、高圧段のギヤ列での流体漏れに起因した多段ギヤポンプの動力損失の抑制とを高次元で両立できる。
【００１２】
なお、定義として「高圧段のギヤ列の吐出容量が低圧段のギヤ列の実容量と同じ」とは、実質的に同程度の効果を得ることができる若干量の誤差（最大でも低圧段のギヤ列の吐出容量の１０％（より高い次元で効果を追求する場合には５％））を含むものとする。
【００１３】
請求項４に記載の発明では、請求項１〜３のうちいずれか一項に記載の発明において、前記高圧段のギヤ列と前記低圧段のギヤ列を繋ぐ流路には、前記流体の流体圧が所定圧を超えたときに開弁状態となって、前記高圧段のギヤ列を迂回して前記流路内の前記流体を吐出させる弁手段が設けられている。従って、多段ギヤポンプの要求圧が変動した場合に、低圧段のギヤ列だけで要求圧まで昇圧可能なときには、流体の一部が弁手段から高圧段のギヤ列を迂回して、多段ギヤポンプから吐出される。よって、既に高圧状態となった流体を高圧段のギヤ列で吸入することができなくても漏らさずに済み、動力損失を抑制できる。
【００１４】
請求項５に記載の発明では、請求項１〜４のうちいずれか一項に記載の発明において、前記ギヤのうち連れ回りするギヤは従動軸に取り付けられ、この従動軸に取り付けられた複数のギヤのうち、１つのギヤは前記従動軸に一体形成され、残りのギヤは前記従動軸に相対回転可能に取り付けられている。従って、従動軸に相対回転可能に取り付けられたギヤは、該ギヤに噛合いする駆動軸側のギヤによって回される。よって、従動軸側のギヤは、駆動軸からその他の従動軸側のギヤへの回転トルクの伝達をも受け持つ必要がない。
【００１５】
請求項６に記載の発明では、請求項５に記載の発明において、高圧段のギヤ列の歯幅は、低圧段のギヤ列の歯幅よりも小さく設定されており、最も高圧のギヤ列を構成するギヤが前記従動軸に一体形成されている。つまり、一般的に、ギヤは歯幅が小さくなるほど厚みが薄くなり、厚みが薄いギヤほど従動軸に対して傾き易くなる（該ギヤが従動軸に相対回転可能に取り付けられていた場合）。この最も傾き易いギヤを従動軸に一体形成することで、該ギヤの従動軸に対する傾きに起因した端面の摩耗や焼き付きを防止できる。
【００１６】
請求項７に記載の発明では、請求項１〜６のうちいずれか一項に記載の発明において、前記流体はジメチルエーテル（ＤＭＥ）である。この発明によれば、ＤＭＥには低粘度、蒸気圧が高い（揮発性が高い）という特性があるため各段のギヤ列から漏れ出し易く、高圧段のギヤ列でＤＭＥが気化して昇圧されない現象が起こり易い。しかし、高圧段のギヤ列の吐出容量は低圧段のギヤ列の吐出容量よりも低い値に設定されるので、多段ギヤポンプで流体としてＤＭＥを用いても、ＤＭＥの昇圧特性が確保される。
【００１７】
【発明の実施の形態】
以下、本発明の多段ギヤポンプを、車両の走行駆動源たるエンジンへ燃料（ジメチルエーテル）を供給するための燃料供給装置に用いられる多段ギヤポンプに具体化した第１及び第２実施形態について説明する。なお、第２実施形態においては第１実施形態との相違点についてのみ説明し、同一又は相当部材には同じ番号を付して説明を省略する。
【００１８】
○第１実施形態
（燃料供給装置）
図４は、燃料供給装置の概略構成図である。多段ギヤポンプ（本実施形態においては３段ギヤポンプ。以下、単にポンプと記す）１の入力側には、流体としてのジメチルエーテル（ＤＭＥ）が貯留されたタンク２が吸入配管３を介して取り付けられている。ポンプ１の出力側には、吐出配管４を介して噴射ポンプ５が接続されている。噴射ポンプ５の出力側にはエンジン６が接続されている。噴射ポンプ５は、ポンプ１から圧送されたＤＭＥを高圧状態でエンジン６に供給する。
【００１９】
（ポンプ）
図１は、ポンプ１の縦断面図である。ポンプ１は同図の左側が上になり右側が下に位置した状態で車両に搭載されている。ポンプ１は略有底円筒状のケース７と、該ケース７の上端（図１では左端）に複数のボルト８を介して固着された蓋体９とを備えている。ケース７と蓋体９とがポンプ１のハウジングを構成している。ケース７の内部には蓋体９の内面に固着された駆動源としてのモータ部１０と、モータ部１０に固定されたギヤ部１１とが収容されている。つまり、ポンプ１は軸密閉型である。
【００２０】
モータ部１０はハウジング１０ａの内周面に沿って配置された巻線を有する固定子１０ｂと、固定子１０ｂに囲まれた状態で配置された鉄心からなる回転子１０ｃとを備えている。回転子１０ｃは駆動軸１２に一体回転可能に固着されている。駆動軸１２はその両端がベアリング１３，１４によって支持されている。固定子１０ｂの巻線は端子１５に接続され、外部からの給電により端子１５を介して巻線に電流が流れると巻線と鉄心との間の電磁誘導作用によって駆動軸１２が回転する。
【００２１】
ギヤ部１１はモータ部１０側から順に基部ブロック１６、連結プレート１７、サイドプレート１８、連結プレート１９、サイドプレート２０、連結プレート２１及び下端プレート２２を備えている。基部ブロック１６及びこれらプレート１７〜２２は駆動軸１２を挿通した状態で、複数のボルト２３（図２，図３に示す）を螺着することによって一体固定されている。また、ギヤ部１１は、基部ブロック１６のフランジ部１６ａに複数（図１に１つのみ示す）のボルト２４を挿通してハウジング１０ａに羅着することでモータ部１０に固定されている。
【００２２】
駆動軸１２は、ギヤ部１１を構成している基部ブロック１６及び全てのプレート１７〜２２に亘って延びており、その下端がベアリング１４を介して下端プレート２２に支持されている。駆動軸１２の下端側の外周面には軸方向に沿って延びる溝部１２ａが形成され、溝部１２ａには略直方体のキー２５が取り付けられている。
【００２３】
駆動軸１２には軸方向に沿って下端側から順に３つのギヤ２６〜２８が取り付けられ、ギヤ２６〜２８の外周面には歯２６ａ〜２８ａが形成されている。これらギヤ２６〜２８の内周面にはキー溝２６ｂ〜２８ｂが形成され、キー溝２６ｂ〜２８ｂにキー２５を係止することによってギヤ２６〜２８を駆動軸１２と一体回転するようになっている。
【００２４】
ギヤ部１１の内部には、駆動軸１２と平行状態で従動軸２９が回転可能に収容されている。従動軸２９はギヤ部１１を構成している基部ブロック１６及び全てのプレート１７〜２２に亘って延びており、上端がベアリング３０を介して基部ブロック１６に、下端がベアリング３１を介して下端プレート２２に支持されている。
【００２５】
従動軸２９には軸方向に沿って下端側から順に３つのギヤ３２〜３４が設けられている。これらギヤ３２〜３４には外周面に歯３２ａ〜３４ａが設けられ、ギヤ３２〜３４のうち最も下端側のギヤ３２は従動軸２９に一体形成されている。一方、残り２つのギヤ３３，３４は、それぞれの貫通孔を介して従動軸２９に嵌め合わされており、ギヤ３２，３３は従動軸２９に対して相対回転可能に取り付けられている。ギヤ２６とギヤ３２、ギヤ２７とギヤ３３、ギヤ２８とギヤ３４はそれぞれ歯幅ｈ１〜ｈ３が同じであり、ギヤ２６がギヤ３２に、ギヤ２７がギヤ３３に、ギヤ２８がギヤ３４に各々噛合している。
【００２６】
ポンプ１は、ケース７の外周面に取り付けられた吸入接続部３５にタンク２から延びる吸入配管３が接続されており、ポンプ作動時にタンク２内のＤＭＥを吸入ポート３５ａから吸入する。ポンプ１は吸入したＤＭＥを複数のギヤ列に通して昇圧する直列式である。即ち、ポンプ１はギヤ２６，３２からなる１段目ギヤ列３６、ギヤ２７，３３からなる２段目ギヤ列３７、ギヤ２８，３４からなる３段目ギヤ列３８に順に通すことで昇圧し、昇圧後のＤＭＥをケース７の外周面に取り付けられた吐出接続部３９（図２に示す）の吐出ポート３９ａから吐出する。
【００２７】
なお、１段目ギヤ列３６と２段目ギヤ列３７との関係では、１段目ギヤ列３６を低圧段のギヤ列として把握することができるとともに、２段目ギヤ列３７を高圧段のギヤ列として把握することができる。２段目ギヤ列３７と３段目ギヤ列３８との関係では、２段目ギヤ列３７を低圧段のギヤ列として把握することができ、３段目ギヤ列３８を高圧段のギヤ列として把握することができる。また、３段目ギヤ列３８は、ギヤ列３６〜３８のうち最も高圧のギヤ列である。
【００２８】
図２は図１のＩＩ−ＩＩ線断面図、図３は図１のＩＩＩ  −ＩＩＩ  線断面図である。図２に示すように、連結プレート２１にはギヤ２６を収容するための孔部２１ａと、ギヤ３２を収容するための孔部２１ｂとが形成されている。連結プレート２１には、ギヤ２６とギヤ３２が噛合う前後に若干の空間領域を設けることで、ＤＭＥの通路となる上流側通路４０と下流側通路４１とが形成されている。この上流側通路４０は吸入ポート３５ａに連通されている。なお、連結プレート１７，１９にも同様に孔部、上流側通路及び下流側通路が各々形成されている。
【００２９】
駆動軸１２は、モータ部１０の駆動により図２の矢印方向（時計回り方向）に回転し、従動軸２９は１段目ギヤ列３６を介して駆動軸１２に連れ回りして同図の白抜き矢印方向に回転する。駆動軸１２及び従動軸２９の回転によりポンプ１の内部に送り込まれたＤＭＥは、吸入ポート３５ａ及び上流側通路４０を通じて１段目ギヤ列３６に流れ込む。１段目ギヤ列３６に至ったＤＭＥは、ギヤ２６の隣接する歯２６ａと孔部２１ａの内周面によって形成されるポンプ室３６ａ、及びギヤ３２の隣接する歯３２ａと孔部２１ｂの内周面によって形成されるポンプ室３６ｂを通じて下流側通路４１に向かって送られる。
【００３０】
図３に示すように、サイドプレート２０には、駆動軸１２を挿通するための孔部２０ａが形成されている。サイドプレート２０には、孔部２０ａに隣接して従動軸２９を挿通するための孔部２０ｂが形成されている。孔部２０ａの径は駆動軸１２の径よりも大きく設定され、従って孔部２０ａの内周面と駆動軸１２の外周面との間には隙間が形成されている。孔部２０ｂの径は従動軸２９の径よりも大きく設定され、従って孔部２０ｂの内周面と従動軸２９の外周面との間には隙間が形成されている。
【００３１】
サイドプレート２０の内部には、１段目ギヤ列３６の下流側通路４１と２段目ギヤ列３７の上流側通路４２とを連通する連通路４３が形成されている。連通路４３は、ポンプ１の径方向に延びる第１通路４３ａと、１段目ギヤ列３６の下流側通路４１から軸方向に延びて第１通路４３ａに連通された第２通路４３ｂと、２段目ギヤ列３７の上流側通路４２から軸方向に延びて第１通路４３ａに連通された第３通路４３ｃとからなっている。
【００３２】
２段目ギヤ列３７に至ったＤＭＥは、ギヤ２７の隣接する歯２７ａと連結プレート１９の内周面によって形成されるポンプ室３７ａ、及びギヤ３３の隣接する歯３３ａと連結プレート１９の内周面によって形成されるポンプ室３７ｂを通じて３段目へ送られる。３段目ギヤ列３８に至ったＤＭＥは、ギヤ２８の隣接する歯２８ａと連結プレート１７の内周面によって形成されるポンプ室３８ａ、及びギヤ３４の隣接する歯３４ａと連結プレート１７の内周面によって形成されるポンプ室３８ｂを通じて吐出ポート３９ａへ送られる。
【００３３】
（ポンプ室のシール構造）
図１に示すように、ギヤ部１１の内部には、ポンプ室３６ａ〜３８ａ，３６ｂ〜３８ｂとケース７内部との間の気密性を確保するためのＯリング４８ａ〜４８ｆが介装されている。Ｏリング４８ａ〜４８ｆは、駆動軸１２及び従動軸２９を囲むように配置されている。ギヤ部１１の内部には、駆動軸１２の周りに存在する内部空間５１とポンプ室３６ａ〜３８ａとの間の気密性を確保するためのシールリング４９ａ〜４９ｆが介装されている。シールリング４９ａ〜４９ｆは駆動軸１２を囲むように配置されている。
【００３４】
ギヤ部１１の内部には、従動軸２９の周りに存在する内部空間５２とポンプ室３６ｂ〜３８ｂとの間の気密性を確保するためのシールリング５０ａ〜５０ｆが介装されている。シールリング５０ａ〜５０ｆは、従動軸２９を囲むように配置されている。Ｏリング４８ａ〜４８ｆには、例えばニトリルゴムが材質として採用されている。シールリング４９ａ〜４９ｆ，５０ａ〜５０ｆには、例えば４フッ化フロロエチレンが材質として採用されている。
【００３５】
ここで、図５を用いてシールリング４９ａのシール状態について説明するが、他のシールリング４９ｂ〜４９ｆ，５０ａ〜５０ｆについても同様の動きをとる。即ち、ポンプ室３６ａ内のＤＭＥは内部空間５１よりも昇圧されているため、ポンプ室３６ａからシールリング４９ａを収容する溝部５３に流れ込む矢印で示すＤＭＥの流れが発生する。これにより、シールリング４９ａはギヤ２６側及び駆動軸１２側に移動し、ギヤ２６の側面及び溝部５３の下面に接触してシール状態となる。
【００３６】
（駆動軸に関するスラスト荷重低減構造）
図１に示すように、内部空間５１は、ギヤ２６〜２８で区画されることによって、駆動軸１２の下端側から順に第１空間５１ａ、第２空間５１ｂ、第３空間５１ｃとなっている。これら空間５１ａ〜５１ｃはキー２５及び溝部１２ａにおける若干の隙間によって連通されている。ギヤ部１１には、内部空間５１と吸入ポート３５ａとを連通する戻し通路（図示省略）が形成されている。戻し通路は一端が第３空間５１ｃに、他端が吸入ポート３５ａに連通されている。
【００３７】
ＤＭＥには低粘度という性質があることから、シールリング４９ａ〜４９ｆでは隙間からＤＭＥ（気液）が内部空間５１に漏れ出てくる。このように内部空間５１に高圧状態のＤＭＥが流入してしまうと、このＤＭＥによって内部空間５１の圧力が高くなり、駆動軸１２にスラスト荷重がかかることが考えられる。しかし、内部空間５１に漏れ出たＤＭＥは戻し通路を通じて吸入ポート３５ａに戻されるので、内部空間５１がほぼ吸入圧となって駆動軸１２にスラスト荷重がかかることが防止される。
【００３８】
（リリーフ弁）
図３に示すように、連通路４３の両端は封止部材４４，４５によって封止されている。連通路４３の第２通路４３ｂ側の端部には、弁手段としてのリリーフ弁４６が設けられている。リリーフ弁４６の弁室４６ａには、吐出ポート３９ａに連通する抜き孔４６ｂが形成されている。リリーフ弁４６はボール状の弁体４６ｃと、弁体４６ｃを弁閉方向に付勢する付勢バネ４６ｄとを備えている。
【００３９】
なお、図示はしないがサイドプレート１８にもサイドプレート２０と同様の２段目ギヤ列３７の下流側通路と３段目ギヤ列３８の上流側通路とを連通する連通路４７（図１に示す）及びリリーフ弁（図示省略）があり、基部ブロック１６には吐出接続部３９と連通する３段目ギヤ列３８の下流側通路がある。
【００４０】
連通路４３に吐出されたＤＭＥの液圧が所定値以下のときには、付勢バネ４６ｄのバネ力により弁体４６ｃが弁座４６ｅに当接してリリーフ弁４６が閉弁状態となる。従って、連通路４３に流れ込んだＤＭＥのほぼ全てが２段目ギヤ列３７に送られる。一方、連通路４３に吐出されたＤＭＥの液圧が所定圧を超えて高くなると、付勢バネ４６ｄに抗して弁体４６ｃが弁座４６ｅから離間してＤＭＥが抜き孔４６ｂから吐出ポート３９ａに直接吐出される。
【００４１】
（気化ＤＭＥのタンクへの戻し構造）
図１に示すように、蓋体９には配管接続部５４が取り付けられ、配管接続部５４にはタンク２から延びるリーク用配管５５（図４に示す）が接続されている。配管接続部５４には、モータ部１０の内部とポンプ１の外部とを連通するリーク用ポート５６が形成されている。ハウジング１０ａの側壁部には、モータ部１０の内部空間と、ケース７の内側でかつハウジング１０ａの外側の空間とを連通する抜き孔５７が形成されている。
【００４２】
軸密封型のポンプ１では、モータ部１０やギヤ部１１の摺動部（例えばギヤ２６〜２８，３２〜３４、駆動軸１２、従動軸２９等）の発熱等によって、各ギヤ列３６〜３８から漏れ出たＤＭＥが気化する。この気化したＤＭＥが、ハウジング１０ａの内部空間や、ケース７の内側でかつハウジング１０ａの外側の空間に蓄積することも考えられる。
【００４３】
しかし、ハウジング１０ａの内部空間に存在するＤＭＥの気体は、リーク用ポート５６からリーク用配管５５を介してタンク２に戻される。ケース７の内側でかつハウジング１０ａの外側の空間に存在するＤＭＥの気体は、抜き孔５７を介してハウジング１０ａ内に入り、リーク用ポート５６、リーク用配管５５を介してタンク２に戻される。よって、ＤＭＥの気体充満に起因するモータ部１０の冷却不足等の不具合が生じずに済む。
【００４４】
なお、図４に示すように、リーク用配管５５と噴射ポンプ５とは、帰還管５８を介して接続されている。噴射ポンプ５において噴射されずに残った余剰ＤＭＥは、この帰還管５８及びリーク用配管５５を介してタンク２へと戻される。
【００４５】
（各ギヤ列の吐出容量の設定）
図１に示すように、１段目ギヤ列３６は、ギヤ２６，３２が一回転したときに流体漏れを加味しないで吐出される理論上の吐出容量（吐出能力）が「Ｄ１」となっている。１段目ギヤ列３６は、ＤＭＥの低粘度特性による漏れによって、実際に吐出する実容量が「Ｓ１（＜Ｄ１）」となる。同じく２段目ギヤ列３７は、理論上の吐出容量が「Ｄ２」となり実容量が「Ｓ２（＜Ｄ２）」となっている。同じく３段目ギヤ列３８は、吐出容量が「Ｄ３」となり実容量が「Ｓ３（＜Ｄ３）」となっている。
【００４６】
このように、各ギヤ列３６〜３８でのＤＭＥの昇圧時に各ギヤ列３６〜３８からＤＭＥが漏れ出て、ギヤ列３６〜３８から実際に吐出されるＤＭＥの実容量Ｓ１〜Ｓ３は吐出容量Ｄ１〜Ｄ３に比べて減少する。本実施形態のポンプ１においては、前述したシール構造（Ｏリング４８ａ〜４８ｆ、シールリング４９ａ〜４９ｆ，５０ａ〜５０ｆ）の採用等によって各ギヤ列３６〜３８でのＤＭＥの漏れが抑えられている。よって、１段目ギヤ列３６の実容量Ｓ１は吐出容量Ｄ１の７０〜８０％、２段目ギヤ列３７の実容量Ｓ２は吐出容量Ｄ２の７０〜８０％となっている。
【００４７】
従来技術においても述べたように、例えば、１段目ギヤ列３６の吐出容量Ｄ１と２段目ギヤ列３７の吐出容量Ｄ２とが同じであると、１段目ギヤ列３６の実容量Ｓ１が２段目ギヤ列３７の吐出容量Ｄ２に対して不足し、ＤＭＥを所定圧まで昇圧できない問題が生じる。また、２段目ギヤ列３７の吐出容量Ｄ２と３段目ギヤ列３８の吐出容量Ｄ３とが同じであると、２段目ギヤ列３７の実容量Ｓ２が３段目ギヤ列３８の吐出容量Ｄ３に対して不足し、ＤＭＥを所定圧まで昇圧できない問題が生じる。
【００４８】
本実施形態においては、２段目ギヤ列３７の吐出容量Ｄ２は、１段目ギヤ列３６の吐出容量Ｄ１よりも低い値に設定されている。また、３段目ギヤ列３８の吐出容量Ｄ３は、２段目ギヤ列３７の吐出容量Ｄ２よりも低い値に設定されている。従って、２段目ギヤ列３７の吐出容量Ｄ２に対し、１段目ギヤ列３６から吐出されるＤＭＥの実容量Ｓ１が不足すること、及び、３段目ギヤ列３８の吐出容量Ｄ３に対し、２段目ギヤ列３７から吐出されるＤＭＥの実容量Ｓ２が不足することを抑制できる。よって、２段目ギヤ列３７及び３段目ギヤ列３８でＤＭＥが気化し難くなることによって、ＤＭＥの昇圧特性が確保される（本実施形態の効果（１））。
【００４９】
ＤＭＥが気化した場合には、ＤＭＥにキャビテーションが発生し、該キャビティが潰れた際には衝撃波が発生し、騒音、振動が発生する不具合も生じる。よって、前述した２段目ギヤ列３７及び３段目ギヤ列３８でのＤＭＥの気化抑制により、振動及び騒音抑制効果も得られる（本実施形態の効果（２））。
【００５０】
なお、各ギヤ列３６〜３８の吐出容量Ｄ１〜Ｄ３はギヤの歯幅ｈ１〜ｈ３に比例し、歯幅ｈ１〜ｈ３の設定値により各ギヤ列３６〜３８の吐出容量Ｄ１〜Ｄ３が設定されている。つまり、２段目ギヤ列３７の歯幅ｈ２は、１段目ギヤ列３６の歯幅ｈ１よりも小さく設定されている。また、３段目ギヤ列３８の歯幅ｈ３は、２段目ギヤ列３７の歯幅ｈ２よりも小さく設定されている。
【００５１】
従って、例えば１段目ギヤ列３６と２段目ギヤ列３７との関係では、高圧段のギヤ列である２段目ギヤ列３７の吐出容量Ｄ２は、該ギヤ列３７の歯幅ｈ２が低圧段のギヤ列である１段目ギヤ列３６の歯幅ｈ１よりも小さく設定されることで、１段目ギヤ列３６の吐出容量Ｄ１よりも低い値に設定されている。つまり、１段目ギヤ列３６と２段目ギヤ列３７は、端面における歯２６ａ，２７ａ，３２ａ，３３ａ付近の形状寸法が同じギヤ２６，２７，３２，３３によって構成されている。
【００５２】
よって、１段目ギヤ列３６のギヤ２６，３２の歯２６ａ，３２ａと、２段目ギヤ列３７のギヤ２７，３３の歯２７ａ，３３ａにおいて歯幅ｈ１，ｈ２以外の形状寸法を同じとすることができる。従って、例えば２段目ギヤ列３７のギヤ２７，３３の歯溝の深さを、１段目ギヤ列３６のギヤ２６，３２の歯溝の深さよりも小さく設定して吐出容量Ｄ２を吐出容量Ｄ１よりも小さくする場合に比べて、各ギヤ２６，２７，３２，３３間の共通部分が多くて各ギヤの製作が簡単となる（本実施形態の効果（３））。２段目ギヤ列３７と３段目ギヤ列３８との関係でも同じことが言える。
【００５３】
ここで例えば、２段目ギヤ列３７の吐出容量Ｄ２を１段目ギヤ列３６の吐出容量Ｄ１よりも低く設定し過ぎると、１段目ギヤ列３６から２段目ギヤ列３７へ過剰な量のＤＭＥが送られて、２段目ギヤ列３７におけるＤＭＥの漏れ量が過度に多くなる。また、３段目ギヤ列３８の吐出容量Ｄ３を２段目ギヤ列３７の吐出容量Ｄ２よりも低く設定し過ぎると、３段目ギヤ列３８においても同様な問題を生じる。
【００５４】
本実施形態においては、２段目ギヤ列３７の吐出容量Ｄ２と１段目ギヤ列３６の実容量Ｓ１とが同じ値に設定されている。また、３段目ギヤ列３８の吐出容量Ｄ３と２段目ギヤ列３７の実容量Ｓ２とが同じ値に設定されている。従って、１段目ギヤ列３６から過剰な量のＤＭＥが２段目ギヤ列３７に送られることがなく、２段目ギヤ列３７におけるＤＭＥの漏れ量が多くならずに済む。また、２段目ギヤ列３７から過剰な量のＤＭＥが３段目ギヤ列３８に送られることがなく、３段目ギヤ列３８におけるＤＭＥの漏れ量が多くならずに済む。
【００５５】
従って、本実施形態のポンプ１は、ＤＭＥの気化抑制によるＤＭＥの昇圧特性の確保及び振動並びに騒音抑制と、ＤＭＥの漏れ量低減による動力損失及び温度上昇抑制とを高次元で両立できる高性能なものとなる（本実施形態の効果（４））。
【００５６】
なお、２段目ギヤ列３７の吐出容量Ｄ２が１段目ギヤ列３６の実容量Ｓ１と同じとは、実質的に同程度の効果（４）を得ることができる若干量の誤差（最大でも１段目ギヤ列３６の吐出容量Ｄ１の１０％（より高い次元で効果を追求する場合には５％））を含むものとする。また、３段目ギヤ列３８の吐出容量Ｄ３が２段目ギヤ列３７の実容量Ｓ２と同じとは、実質的に同程度の効果を得ることができる若干量の誤差（最大でも２段目ギヤ列３７の吐出容量Ｄ２の１０％（より高い次元で効果を追求する場合には５％））を含むものとする。
【００５７】
従って、２段目ギヤ列３７の吐出容量Ｄ２は、例えば１段目ギヤ列３６の実容量Ｓ１を吐出容量Ｄ１の７０％とすれば、該吐出容量Ｄ１の６０〜８０％（より高い次元で効果を追求する場合には６５〜７５％）に設定されることとなる。つまり、２段目ギヤ列３７の歯幅ｈ２は、１段目ギヤ列３６の歯幅ｈ１の６０〜８０％（より高い次元で効果を追求する場合には６５〜７５％）に設定されることとなる。
【００５８】
また、３段目ギヤ列３８の吐出容量Ｄ３は、例えば２段目ギヤ列３７の実容量Ｓ２を吐出容量Ｄ２の８０％とすれば、該吐出容量Ｄ２の７０〜９０％（より高い次元で効果を追求する場合には７５〜８５％）に設定されることとなる。つまり、３段目ギヤ列３８の歯幅ｈ３は、２段目ギヤ列３７の歯幅ｈ２の７０〜９０％（より高い次元で効果を追求する場合には７５〜８５％）に設定されることとなる。
【００５９】
上記構成の本実施形態においては前述した効果（１）〜（４）の他にも次のような効果を奏する。
（５）連通路４３の第２通路４３ｂ側の端部にはリリーフ弁４６が設けられている。ポンプ１の要求圧が変動した場合に１段目ギヤ列３６だけで要求圧まで昇圧可能なときには、ＤＭＥの一部がリリーフ弁４６から吐出ポート３９ａに吐出される。従って、ＤＭＥが既に高圧状態となっている場合に２段目ギヤ列３７がＤＭＥを吸引できずにＤＭＥが１段目ギヤ列３６へ漏れ出てしまうことを防止でき、動力損失を抑制できる。
【００６０】
また、例えば１段目ギヤ列３６のギヤ２６，３２や連結プレート２１の設計寸法のバラツキによって、その間の隙間が想定した値よりも小さくなった場合には、想定外の少ない漏れしか生じず１段目ギヤ列３６の昇圧能力が高い状態となる。従って、この条件下でもＤＭＥが要求圧まで昇圧されれば、ＤＭＥの一部がリリーフ弁４６を介して吐出ポート３９ａに吐出されるので、２段目ギヤ列３７での仕事量が減ることになる。なお、リリーフ弁が連通路４７にも設けられていることにより、２段目ギヤ列３７と３段目ギヤ列３８との関係でも同じことが言える。
【００６１】
（６）ギヤ部１１の内部には各ギヤ列３６〜３８の気密性を確保するためにＯリング４８ａ〜４８ｆ，シールリング４９ａ〜４９ｆ，５０ａ〜５０ｆを設けたので、ギヤ列３６〜３８を通るＤＭＥをケース７の内部や内部空間５１，５２に漏れ難くすることができる。
【００６２】
（７）従動軸２９は一個のギヤ（ギヤ３２）と一体回転可能に形成され、他の連れ回りするギヤ３３，３４は従動軸２９に相対回転可能に取り付けられている。よって、ギヤ３３，３４は駆動軸１２によって回され、従動軸２９側のギヤ（ギヤ３２〜３４）のうちいずれか１つのギヤが３段分の荷重を受ける心配がない。従って、ギヤの耐久性低下を抑制できる。
【００６３】
なお、例えば従動軸２９をギヤ部１１に固定して固定軸とし、該固定軸がギヤ３２〜３４を回転可能に支持する構成に変更すると、固定軸に対するギヤ３２〜３４の周速が大きくなりすぎるため、ギヤ３２〜３４を支障なく回転させるためにはギヤ３２〜３４と固定軸との間にベアリングを介在させる必要がある。しかし、ベアリングを介在させるのは大型化等の面から問題があるため、従動軸２９を固定軸とするのは不適当であり、従動軸２９はギヤ３２〜３４と同じ速度で回転するのが望ましい。
【００６４】
本実施形態では、ギヤ２６と噛合したギヤ３２と一体回転する従動軸２９が、ギヤ２７と噛合したギヤ３３や、ギヤ２８と噛合したギヤ３４とは位相が異なるとしても、ギヤ３３，３４と同じ速度で回転する。従って、ギヤ３３，３４と従動軸２９との間にベアリングを介在させることなく、従動軸２９をギヤ３２〜３４と同じ速度で回転させる構成において、従動軸２９が一個のギヤ（ギヤ３２）と一体回転可能であることによりギヤの耐久性低下を抑制できる。
【００６５】
（８）従動軸２９は一個のギヤ（ギヤ３２）と一体形成されている。例えばギヤ３２がキーを介して従動軸２９と一体回転する構成に変更した場合、ベアリング３１は、キーに干渉しない位置まで離して配置しなければならない（ギヤ１個をキーでシャフトに連結する場合、キーはギヤの歯幅よりも長くなる場合が多い）。本実施形態ではギヤ３２が従動軸２９に一体形成されてキーが省略されているため、キーを用いる場合に比べてベアリング３１をギヤ３２に近づけて配置でき、従動軸２９を撓み難くすることができる。
【００６６】
なお、駆動軸１２側のギヤ２６〜２８では、回転トルクによるラジアル荷重とポンプ室３６ａ〜３８ａ内の圧力によるラジアル荷重とが打ち消し合う方向に作用するのに対し、従動軸２９側のギヤ３２〜３４では前記両ラジアル荷重が重なり合う方向に作用する。よって、従動軸２９側のギヤ３２〜３４におけるラジアル荷重は駆動軸１２側のギヤ２６〜２８におけるラジアル荷重よりも大きく（約２倍になることがある）、ギヤ３２〜３４からラジアル荷重を受ける従動軸２９は、撓みやすい状況にある。
【００６７】
また、従動軸２９はギヤ列が３段であるため、ギヤ列が１段や２段の場合に比べてベアリング３０，３１間のスパン、すなわちベアリングスパンが大きく、より撓みやすい状況にある。よって、ギヤ３２を従動軸２９と一体形成してベアリング３１をギヤ３２に近づけて配置することは、撓み易い従動軸２９を撓み難くするうえで効果的である。
【００６８】
（９）３段のギヤ３２〜３４のうち最も歯幅の広いギヤ３２を従動軸２９に一体形成したので、ギヤ３３やギヤ３４を従動軸２９に一体形成した場合に比べて、連れ回りするギヤ（従動軸２９側のギヤ）が駆動軸１２から受ける荷重を分散できる。
【００６９】
（１０）ギヤ部１１には、内部空間５１と吸入ポート３５ａとを連通する戻し通路が形成されている。内部空間５１に漏れ出たＤＭＥは戻し通路を通じて吸入ポート３５ａに戻されるので、内部空間５１をほぼ吸入圧にすることができ、駆動軸１２のスラスト荷重を生じ難くできる。
【００７０】
○第２実施形態
次に、第２実施形態について図６に従って説明する。本実施形態のポンプ１は、軸開放型の２段ギヤポンプである。
【００７１】
図６は、ポンプ１の断面図である。本実施形態のケース７は下方側（図６では右側）に開口し、蓋体９はケース７の下端に固着されている。駆動軸１２はケース７の上方側から外部に突出し、この突出部分に外部駆動源（図示省略）が接続されている。本実施形態のポンプ１は１段目ギヤ列３６と２段目ギヤ列３７を有した２段であり、１段目ギヤ列３６が上方側、２段目ギヤ列３７が下方側に配置されている。
【００７２】
基部ブロック１６、連結プレート２１、サイドプレート２０及び連結プレート１９はケース７の内部に接触した状態で収容されている。本実施形態では、１段目ギヤ列３６のギヤ３２が従動軸２９と別体である。２段目ギヤ列３７のギヤ３３、即ち本実施形態における最も高圧のギヤ列である２段目ギヤ列３７を構成するギヤ３３が、従動軸２９と一体形成されている。吐出接続部３９は蓋体９に設けられており、吸入接続部３５は図示省略されている。
【００７３】
この構成においても第１実施形態の（１）〜（８）と同様な効果が得られる他に、次の効果が得られる。
（１１）最も高圧のギヤ列（２段目ギヤ列３７）を構成するギヤ３３が従動軸２９と一体形成されている。２段目ギヤ列３７のギヤ３３は従動軸２９側のギヤ３２，３３のうち低圧側のギヤ列である１段目ギヤ列３６を構成するギヤ３２よりも歯幅が小さい、つまり厚みが薄い。ギヤは厚みが薄い方が従動軸２９に対して傾き易いが、ギヤ３２よりも厚みが薄いギヤ３３が従動軸２９と一体形成されているために傾きの問題は生じない。よって、例えば厚みが厚いギヤ３２を従動軸２９と一体形成する場合に比べて、ギヤの片当たりによる焼き付きや摩耗を効果的に防止できる。
【００７４】
ギヤ２６，２７が駆動軸１２に対して傾くと、該ギヤ２６，２７にはラジアル荷重のスラスト分力が発生し、同様にギヤ３２，３３が従動軸２９に対して傾くと、該ギヤ３２，３３にはラジアル荷重のスラスト分力が発生する。前述のようにラジアル荷重は従動軸２９側の方が駆動軸１２側よりも大きいため、従動軸２９側のギヤ３２，３３の方が駆動軸１２側のギヤ２６，２７よりもスラスト分力が大きくなる虞があり、片当たりによる焼き付きや摩耗がより生じやすくなる虞がある。本実施形態では、従動軸２９側のギヤのうちギヤ３２よりも薄いギヤ３３が、従動軸２９と一体形成されて傾きが防止されスラスト分力が抑制されているため、ポンプ１の全ギヤ２６，２７，３２，３３におけるギヤの片当たりによる焼き付きや摩耗を効果的に防止できる。
【００７５】
（１２）ギヤ３２において側面と内周面との接続部分には、ギヤ３２を従動軸２９に嵌め入れし易いように面取り部３２ｂが形成されている（なお、面取り部はギヤ２６，２７にも形成されているが図示省略し、ギヤ３２の面取り部３２ｂのみ図示している）。従って、例えば逆にギヤ３２を従動軸２９に一体形成してギヤ３３を従動軸２９に嵌め入れる構成に変更し、ギヤ３３に面取り部３２ｂと同じ曲率半径で面取り部を形成する場合に比べて、本実施形態ではギヤ３２の歯幅に対する面取り部３２ｂの占める比率が低い。よって、従動軸２９に嵌め入れるギヤは、ギヤ３３よりもギヤ３２の方が傾きにくいため、片当たりによる焼き付きや摩耗を効果的に防止できる。
【００７６】
また、従動軸２９側のギヤ３２，３３において嵌め合い部（本実施形態ではギヤ３２の内周面）の面圧上昇を抑制でき、従動軸２９側のギヤ３２，３３の耐久性を向上できる。前述のようにラジアル荷重は従動軸２９側の方が駆動軸１２側よりも大きく、ラジアル荷重がギヤの嵌め合い部にかかるため、前記面圧上昇の抑制効果は特に有効である。
【００７７】
（１３）最も高圧の２段目ギヤ列３７を構成するギヤ３３が従動軸２９と一体形成されている。よって、従動軸２９及びギヤ部１１に対するギヤ３３の外周の芯ズレが小さくなり、高圧段のギヤ列（２段目ギヤ列３７）においてＤＭＥの漏れが少ない。高圧段のギヤ列は、低圧段のギヤ列（１段目ギヤ列３６）に比べて吐出容量が小さくされていることにより、ＤＭＥの漏れ量が容積効率に与える影響が大きいため、ＤＭＥの漏れを減らすことができ、高効率を維持し易い。
【００７８】
なお、実施形態は前記に限定されず、例えば、次の態様に変更してもよい。
○  第１実施形態において、従動軸２９に一体形成されるギヤは１段目ギヤ列３６のギヤ３２に限らず、２段目ギヤ列３７のギヤ３３又は３段目ギヤ列３８のギヤ３４でもよい。例えば、第１実施形態において最も高圧のギヤ列である３段目ギヤ列３８を構成するギヤ３４を従動軸２９と一体形成し、他の連れ回りするギヤであるギヤ３２，３３を従動軸２９に相対回転可能に取り付ける。この場合、第２実施形態のポンプ１が２段であるのに対し第１実施形態のポンプ１は３段であるため、第２実施形態で記載した効果（１１）〜（１３）と同様の効果をより顕著に奏することができる。
【００７９】
例えば効果（１１）に対応させると、ギヤは歯幅が小さくなるほど厚みが薄くなり、厚みが薄いギヤほど従動軸２９に対して傾き易くなる（該ギヤが従動軸２９に相対回転可能に取り付けられていた場合）。最も傾き易い３段目ギヤ列３８のギヤ３４を従動軸２９に一体形成することで、該ギヤ３４の従動軸２９に対する傾きに起因した端面の摩耗や焼き付きを防止できる。よって、最も高圧のギヤ列を構成するギヤを従動軸２９に一体形成する構成は、ポンプの段数が多くなるほど有効であり、特に、３段以上のポンプに有効である。
【００８０】
○  第２実施形態において、従動軸２９に一体形成されるギヤは２段目のギヤ３３に限らず、１段目のギヤ３２でもよい。この場合、前記（９）と同様の効果が得られる。
【００８１】
○  第１実施形態において、弁手段としてのリリーフ弁４６は、両サイドプレート１８，２０に設けることに限らず、両サイドプレート１８，２０の一方にのみ設置してもよい。また、弁手段は前記リリーフ弁４６のような内部自律型の構成に限らず、例えば連通路４３に吐出されたＤＭＥの液圧が所定値を超えたか否かを検出するセンサの出力に基づいて開閉する外部制御型の弁（例えば電磁弁）を採用してもよい。なお、弁手段は削除してもよい。
【００８２】
○  第１実施形態において開弁状態のリリーフ弁４６は、ポンプ１の要求圧まで昇圧されたＤＭＥを吐出ポート３９ａに吐出する構成であったが、吐出ポート３９ａに限定されず、リリーフ弁４６から高圧段のギヤ列を迂回してＤＭＥを吐出するのであればよい。例えばリリーフ弁４６から３段目ギヤ列３８の下流側通路にＤＭＥを吐出する構成でもよい。また、リリーフ弁４６からのＤＭＥの吐出先はポンプ１に限らず、例えば吐出配管４にＤＭＥを吐出する構成でもよい。
【００８３】
○  第１実施形態において、第１空間５１ａと第３空間５１ｃとを連通する戻し通路、第２空間５１ｂと第３空間５１ｃとを連通する戻し通路を設けてもよい。第１空間５１ａや第２空間５１ｂに漏れ出たＤＭＥは、これら戻し通路を介することにより、キー２５及び溝部１２ａにおける若干の隙間だけを介するよりもスムーズに第３空間５１ｃに送られ、第３空間５１ｃと吸入ポート３５ａとを連通する既述の戻し通路を介して吸入ポート３５ａに戻される。
【００８４】
同様に、第２実施形態においても、第１空間５１ａと第２空間５１ｂとを連通する戻し通路を設けることによって、第１空間５１ａに漏れ出たＤＭＥが戻し通路を介して第２空間５１ｂによりスムーズに送られ、第２空間５１ｂと吸入ポートとを連通する戻し通路を介して吸入ポートに戻される構成としてもよい。
【００８５】
○  第２実施形態においてポンプ１は、駆動軸１２が上下方向となるように車両に搭載されていたが、外部駆動源としてエンジンを用いる場合は、駆動軸１２が水平方向となるようにポンプ１を搭載してもよい。
【００８６】
○  多段ギヤポンプが扱う流体はＤＭＥに限定されず、これ以外の他の流体を扱う多段ギヤポンプにおいて本発明を具体化してもよい。本発明は、液体の状態で低粘度特性及び易気化特性の少なくとも一方を有する流体を取り扱う多段ギヤポンプにおいて特に有効である。
【００８７】
○  上記第１実施形態においては３段ギヤポンプにおいて具体化され、第２実施形態においては２段ギヤポンプにおいて具体化されていたが、本発明はこれに限定されるものではなく、４段や５段等の２，３段以外の多段ギヤポンプにおいて具体化してもよい。
【００８８】
○  １段目ギヤ列３６と２段目ギヤ列３７との関係では、２段目ギヤ列３７の吐出容量Ｄ２は、該ギヤ列３７の歯幅ｈ２を１段目ギヤ列３６の歯幅ｈ１よりも小さく設定することで、１段目ギヤ列３６の吐出容量Ｄ１よりも低い値に設定していた。これを変更し、２段目ギヤ列３７を構成するギヤ２７，３３の歯溝の深さを、１段目ギヤ列３６を構成するギヤ２６，３２の歯溝の深さよりも小さく設定することによって２段目ギヤ列３７の吐出容量Ｄ２を１段目ギヤ列３６の吐出容量Ｄ１よりも小さく設定する構成としてもよい。２段目ギヤ列３７と３段目ギヤ列３８との関係でも同じことが言える。
【００８９】
○  第１実施形態ではＯリング４８ａ〜４８ｆ、シールリング４９ａ〜４９ｆ、５０ａ〜５０ｆを備え、第２実施形態ではＯリング４８ａ〜４８ｄ、シールリング４９ａ〜４９ｄ、５０ａ〜５０ｄを備えていたが、これらＯリング及びシールリングを省略してもよい。
【００９０】
○  第１及び第２実施形態において、ポンプ１はエンジン６に燃料（ＤＭＥ）を圧送する車載用に限らず、例えば工作用機器に作動油を圧送するポンプであってもよい。
【００９１】
○  第１実施形態において、ギヤ３４は従動軸２９に一体形成されていたが、これを変更し、キーを介してギヤ３４を従動軸２９と一体回転可能に連結してもよい。同様に、第２実施形態において、ギヤ３３は従動軸２９に一体形成されていたが、これを変更し、キーを介してギヤ３３を従動軸２９と一体回転可能に連結してもよい。これらの場合でも前記（７）と同様の効果が得られる。
【００９２】
前記実施形態及び別例から把握できる技術的思想について、以下に記載する。
（１）請求項１〜６のうちいずれか一項において、前記流体は液体の状態で低粘度特性及び易気化特性の少なくとも一方を有する。
【００９３】
（２）請求項５において、高圧段のギヤ列の歯幅は、低圧段のギヤ列の歯幅よりも小さく設定されており、前記従動軸に一体形成されたギヤは、前記流体を最も最初に通す１段目ギヤ列を構成するギヤである。
【００９４】
（３）互いに噛合う一対のギヤからなり、前記ギヤのうち一方が駆動軸に連結されるとともに他方が駆動軸側のギヤと連れ回りするギヤ列を複数備え、吸入した流体を順に前記ギヤ列に通すことで昇圧して吐出する多段ギヤポンプにおいて、
前記ギヤのうち連れ回りするギヤは従動軸に取り付けられ、この従動軸に取り付けられた複数のギヤのうち、１つのギヤは前記従動軸に一体回転可能に連結され、残りのギヤは前記従動軸に相対回転可能に取り付けられている多段ギヤポンプ。
【００９５】
（４）前記技術的思想（３）において、前記従動軸に一体回転可能に連結されたギヤは前記従動軸に一体形成されている。
（５）前記技術的思想（４）において、前記各ギヤ列は互いに歯幅が異なっていて、前記従動軸に一体形成されたギヤは、最も歯幅の小さいギヤ列を構成するギヤである。
【００９６】
（６）前記技術的思想（４）において、前記各ギヤ列は互いに歯幅が異なっていて、前記従動軸に一体形成されたギヤは、最も歯幅の大きいギヤ列を構成するギヤである。
【００９７】
【発明の効果】
以上詳述したように本発明によれば流体の昇圧特性を確保することができる。
【図面の簡単な説明】
【図１】第１実施形態における３段ギヤポンプの縦断面図。
【図２】図１のＩＩ−ＩＩ線断面図。
【図３】図１のＩＩＩ  −ＩＩＩ  線断面図。
【図４】燃料供給装置の概略構成図。
【図５】Ｏリングのシール状態を説明する拡大断面図。
【図６】第２実施形態における２段ギヤポンプの縦断面図。
【図７】従来技術における多段ギヤポンプの縦断面図。
【符号の説明】
１…多段ギヤポンプ、１２…駆動軸、２６〜２８…ギヤ、２９…従動軸、３２〜３４…ギヤ、３６…２段目ギヤ列との関係において低圧段のギヤ列である１段目ギヤ列、３７…１段目ギヤ列との関係において高圧段のギヤ列であって２段ギヤポンプにおいて最も高圧のギヤ列でもあり３段目ギヤ列との関係において低圧段のギヤ列である２段目ギヤ列、３８…２段目ギヤ列との関係において高圧段のギヤ列であって３段ギヤポンプにおいて最も高圧のギヤ列でもある３段目ギヤ列、４３，４７…ギヤ列を繋ぐ流路を構成する連通路、４６…弁手段としてのリリーフ弁、ｈ１〜ｈ３…歯幅。
【図１】
2004278502.tif 000003
【図２】
2004278502.tif 000004
【図３】
2004278502.tif 000005
【図４】
2004278502.tif 000006
【図５】
2004278502.tif 000007
【図６】
2004278502.tif 000008
【図７】
2004278502.tif 000009